(57)【要約】      （修正有）【課題】風を送る機能以外の有用な付加的機能、例えば使用者に送る風の温度を直接的に確認できる機能を備えた扇子を提供する。【解決手段】扇子１００は、一対の親骨１０ａ、１０ｂ、この一対の親骨間に基端部が一対の親骨の基端部に重畳して軸支される複数の中骨２０、並びに一対の親骨と複数の中骨とに貼着されており折り畳み及び展開自在な扇面を構成する扇面体４０と、帯状の感熱液晶層を有する温度計５０とを備えており、温度計は親骨又は扇面の平坦な部分上に設けられている。【選択図】図１
0003176782.tif 000002
【実用新案登録請求の範囲】
【請求項１】
一対の親骨、前記一対の親骨間に基端部が前記一対の親骨の基端部に重畳して軸支される複数の中骨、並びに前記一対の親骨と前記複数の中骨とに貼着されており折り畳み及び展開自在な扇面を構成する扇面体と、
帯状の感熱液晶層を有する温度計と
を備えており、
前記温度計は前記親骨又は前記扇面の平坦な部分上に設けられていることを特徴とする扇子。
【請求項２】
前記温度計は、帯状の感熱液晶層を有するフィルムからなり、前記親骨の外表面に貼着されていることを特徴とする請求項１に記載の扇子。
【請求項３】
前記温度計の近傍に熱中症予防の注意を喚起する文字又は絵柄を印刷した印刷部を有することを特徴とする請求項１又は２に記載の扇子。
【請求項４】
前記印刷部において、前記温度計が表示される温度の位置に対応して、熱中症予防の注意を喚起する警告マークが印刷されていることを特徴とする請求項３に記載の扇子。
【考案の詳細な説明】
【技術分野】
【０００１】
本考案は、納涼手段として用いられる扇子に関する。
【背景技術】
【０００２】
手で扇ぐことにより風を起こして涼を取る簡易な納涼手段として、扇子が広く用いられる。扇子は、どこでも手軽に利用することができると共に折畳んで携帯できるため、近年、ただ単に簡易納涼手段として用いられるだけでなく、扇部に広告情報等を印刷し、街頭や催し会場等で配布することによって、宣伝広告手段としても用いられる。
【０００３】
扇部に広告への接続情報等を印刷することにより、本来の扇ぎ具としての機能に加えて、広告媒体としての扇子が提案されている（例えば、特許文献１）。この扇子は、扇子の扇ぎ面にコード読み取り機能が搭載されたカメラ付き携帯電話により読み取り可能な二次元コードが所定の図柄等と共に印刷されており、この二次元コードに基づいて娯楽的要素を含む画像や音声からなる第１の情報が格納された携帯サイトに直接的に接続される構成となっており、第１の情報内に広告主のホームページや商品紹介等からなる第２の情報を含む二次画面に導くリンクが設定されており、通行人や顧客等に配布される販促用配布物品として利用される。
【先行技術文献】
【特許文献】
【０００４】
【特許文献１】登録実用新案第３１０９３９５号公報
【考案の概要】
【考案が解決しようとする課題】
【０００５】
特許文献１に記載された扇子を含めた従来の扇子は、風を送る機能以外の付加的機能として、装飾的な機能、宣伝機能又は接続情報機能を有するのみであった。
【０００６】
従って、本考案は、風を送る機能以外の有用な付加的機能を備えた扇子を提供することを目的としている。
【０００７】
本考案は、付加的機能として、使用者に送る風の温度を直接的に確認できる機能を有する扇子を提供することを他の目的としている。
【課題を解決するための手段】
【０００８】
本考案によれば、一対の親骨、この一対の親骨間に基端部が一対の親骨の基端部に重畳して軸支される複数の中骨、並びに一対の親骨と複数の中骨とに貼着されており折り畳み及び展開自在な扇面を構成する扇面体と、帯状の感熱液晶層を有する温度計とを備えており、温度計は親骨又は扇面の平坦な部分上に設けられている扇子が提供される。
【０００９】
扇子自体に温度計を設けることで、扇子の使用者に送る風の温度を直接的に確認できると共に、扇子を使用する又は非使用状態で所持する際に使用者近傍の温度をも容易に確認することができる。また、温度計が扇子の親骨又は扇面の平坦な部分上に設けられていることで、温度計の貼付作業が容易になる。
【００１０】
温度計は、帯状の感熱液晶層を有するフィルムからなり、親骨の外表面に貼着されていることも好ましい。このように、帯状の感熱液晶フィルムからなる温度計が親骨の外表面に貼着されていることで、扇子を使用する際に、変形による温度計寿命への影響を確実に防止することができる。また、温度計付扇子が折り畳んだ状態（即ち、非使用状態）でも、その周囲温度を容易に確認することができる。
【００１１】
温度計の近傍に熱中症予防の注意を喚起する文字又は絵柄を印刷した印刷部を有することも好ましい。このように、熱中症注意を喚起する内容を印刷することで、熱中症を予防することができ、熱中症の事故を回避することが可能である。
【００１２】
印刷部において、温度計が表示される温度の位置に対応して、熱中症予防の注意を喚起する警告マークが印刷されていることが好ましい。このように、温度計が表示される温度の位置に対応して、熱中症予防の注意を喚起する警告マークが印刷されていることで、熱中症になる可能性のある温度を明確に確認できる。
【考案の効果】
【００１３】
扇子自体に温度計を設けることで、扇子の使用者に送る風の温度を直接的に確認できると共に、扇子を使用する又は非使用状態で所持する際にその周囲温度を容易に確認することができる。
【００１４】
帯状の感熱液晶フィルムからなる温度計が扇子の親骨の平坦な面上に貼着されていることで、扇子を使用する際に、変形による温度計寿命への影響を確実に防止することができる。また、温度計が扇子の親骨の外表面に設けられている場合は、温度計付扇子が折り畳んだ状態（即ち、非使用状態）でも、その周囲温度を容易に確認することができる。
【００１５】
温度計の近傍に熱中症注意を喚起する文字又は絵柄を印刷される印刷部を有することで、熱中症を予防する効果を期待でき、熱中症の事故を回避することができる。
【００１６】
印刷部において、温度計が表示される温度の位置に対応して、熱中症予防の注意を喚起する警告マークが印刷されていることで、熱中症になる可能性のある温度を明確に確認できる。
【００１７】
扇子に設けられている温度計に、指等で直接触れることにより、指先等の触れた部分の体温変化を目安としてその場で確認することができる。
【図面の簡単な説明】
【００１８】
【図１】本考案に係る扇子の第１の実施形態の構成を概略的に示す平面図である。
【図２】図１に示した扇子の構成を概略的に示す斜視図である。
【図３】本考案に係る扇子の第２の実施形態の構成を概略的に示す平面図である。
【図４】本考案に係る扇子の第３の実施形態の構成を概略的に示す平面図である。
【図５】本考案に係る扇子の第４の実施形態の構成を概略的に示す平面図である。
【考案を実施するための形態】
【００１９】
以下、本考案に係る扇子の実施形態を、図を参照して説明する。
【００２０】
図１は本考案の扇子の第１の実施形態として、温度計付扇子１００の構成を示している。図１において、温度計付扇子１００の展開した状態を示している。図２は温度計付扇子１００の折り畳んだ状態を示している。
【００２１】
図１及び図２に示すように、本実施形態における温度計付扇子１００は、扇子の両側に位置する一対の親骨１０ａ及び１０ｂと、この一対の親骨１０ａ及び１０ｂ間に設けられた複数の扁平な中骨２０と、軸３０と、中骨２０の数に応じて複数の山折り部と谷折り部とが放射状に形成された扇面を構成する扇面体４０と、温度計５０とを備えている。なお、軸３０は、要（かなめ）ともいう。
【００２２】
親骨１０ａ及び１０ｂは、一般には、竹又は木材から形成され、扇子の軸方向の両側に位置する。この親骨１０ａ及び１０ｂの基端部には、軸３０が挿通する穴が設けられている。また、親骨１０ａ及び１０ｂの表面側（即ち、軸方向の外側）の少なくとも一部には平坦な部分１１が形成されている。なお、親骨１０ａ及び１０ｂを樹脂等の竹又は木材以外の材料から形成するようにしてもよい。
【００２３】
中骨２０は、一般には、竹又は木材から形成され、それらの基端部には軸３０が挿通する穴が設けられ、先端部が細くなる構造を有しているものや、先端部ほど厚さが薄くかつ幅が細くなるテーパ構造を有しているものもある。なお、中骨２０を、樹脂等の竹又は木材以外の材料から形成するようにしてもよい。
【００２４】
軸３０は、金属又は樹脂材料で形成され、一対の親骨１０ａ及び１０ｂの基端部と多数の中骨２０の基端部とを軸支するものである。軸３０の両端は、親骨１０ａ及び１０ｂの外表面から露出しており、親骨１０ａ及び１０ｂ並びに中骨２０が軸３０から外れないように大径部が形成されている。
【００２５】
扇面体４０は、親骨１０ａ及び１０ｂ並びに中骨２０にその両面から貼着された２枚の折り曲げ可能な紙又は布から構成される。また、片面のみ貼着された構成のものもある。この扇面体４０の山折り部と谷折り部との間に中骨２０が均等な間隔で配列されるように、扇面体４０は、親骨１０ａ及び１０ｂ並びに中骨２０の自由端側に貼着されている。ただし、扇面体４０の両側端部は親骨１０ａ及び１０ｂの裏面に貼着されている。
【００２６】
温度計５０は、帯状の感熱液晶フィルム（感熱液晶層を有するフィルム）からなる。即ち、感熱液晶（温度で色が変わる液晶）をマイクロカプセル化し、帯状のフィルムに印刷してなるものである。このような感熱液晶フィルムは、例えば株式会社日本カプセルプロダクツから市販されている。温度表示可能な範囲は、適宜設定可能であるが、例えば、２０℃〜３６℃、又は２６℃〜４６℃である。また、温度計５０は、一方の親骨１０ａ又は１０ｂの外表面の平坦な部分１１に貼着されている。本実施形態においては、温度計５０の長さ方向が親骨１０ａ又は１０ｂの長手方向に対して平行する方向に貼着しているが、本考案はこれに限定されるものではない。例えば、温度計５０の長さ方向が親骨１０ａ又は１０ｂの長手方向に対して平行する方向からわずかな角度だけ傾いた方向で（わずかに傾斜させて）貼着してもよい。
【００２７】
以上説明したように、扇子自体に温度計５０を設けることで、この温度計付扇子１００の使用者に送る風の温度を直接的に確認できると共に、温度計付扇子１００を使用する又は非使用状態で所持する際に使用者近傍の温度をも容易に確認することができる。
【００２８】
図３は本考案の扇子の第２の実施形態としての温度計付扇子１００Ａの構成を示している。図３において、印刷部６０を有する温度計付扇子１００Ａの展開した状態を示している。
【００２９】
図３に示すように、本実施形態における温度計付扇子１００Ａは、一対の親骨１０ａ及び１０ｂと、複数の中骨２０と、軸３０と、扇面体４０と、温度計５０と、印刷部６０とを備えている。
【００３０】
温度計付扇子１００Ａにおいて、親骨１０ａ及び１０ｂと、中骨２０と、軸３０と、扇面体４０と、温度計５０とは、上述した温度計付扇子１００と同様な構成を有するため、詳細の説明は省略する。
【００３１】
印刷部６０は、温度計５０の近傍に熱中症予防の注意を喚起する文字又は絵柄を印刷したものである。この印刷部６０には、任意の文字又は絵柄を印刷しても良いし、あらかじめ文字又は絵柄を印刷したフィルム等を被着しても良い。図３に示した例では、印刷部６０は親骨１０ａの表面に温度計５０と縦列して設けられており、この印刷部６０には、熱中症予防の注意を喚起する文字又は絵柄が印刷されている。より具体的には、印刷部６０には、「熱中症に注意」の文字が印刷されている。また、印刷部の一部として、温度計５０の所定温度（例えば、３２℃）以上の温度を表す範囲の下方近傍に、警告マーク６１が印刷されている。ここで、警告マーク６１としては、例えば赤色の長方形絵柄を印刷している。なお、警告マーク６１として、赤色の下地の上に白色の「注意」という文字を印刷してもよい。また、警告マーク６１を、温度計５０の所定温度（例えば、３２℃）以上の温度を表す範囲の上方近傍に印刷するようにしてもよい。
【００３２】
図４は本考案の扇子の第３の実施形態としての温度計付扇子１００Ｂの構成を示している。図４において、温度計付扇子１００Ｂの展開した状態を示している。
【００３３】
図４に示すように、本実施形態における温度計付扇子１００Ｂは、一対の親骨１０ａ及び１０ｂと、複数の中骨２０と、軸３０と、扇面体４０と、温度計５０と、印刷部６０Ａとを備えている。
【００３４】
温度計付扇子１００Ｂにおいて、温度計５０が親骨１０ｂの内側の平坦面１２に貼着され、印刷部６０Ａが扇面体４０の扇面上に印刷され、警告マークが印刷されていないことを除いて、上述した温度計付扇子１００Ａと同様な構成を有するため、詳細の説明は省略する。
【００３５】
この場合、親骨１０ｂの内側は、通常、平坦に形成されているので、温度計５０を容易に貼り付け、又は印刷することができる。この場合、温度計付扇子１００Ｂを展開した状態（使用状態）においてのみ温度計５０の表示温度を確認することができるが、温度計付扇子１００Ｂを折り畳んだ状態（即ち、非使用状態）では、通常の扇子と同様の外観を有するため、外観デザインへの影響を回避できる。また、印刷部６０Ａには、「熱中症に注意」の文字が印刷されている。なお、温度計５０が親骨１０ｂの内側（内表面）の平坦な部分１２に貼着されているため、親骨１０ａ及び１０ｂの外表面に、平坦な部分を設ける必要がなく、自由にデザインすることが可能である。
【００３６】
図５は本考案の扇子の第４の実施形態としての温度計付扇子１００Ｃの構成を示している。図５において、温度計付扇子１００Ｃの展開した状態を示している。
【００３７】
図５に示すように、本実施形態における温度計付扇子１００Ｃは、一対の親骨１０ａ及び１０ｂと、複数の中骨２０と、軸３０と、扇面体４０と、温度計５０と、印刷部６０Ａとを備えている。
【００３８】
温度計付扇子１００Ｃにおいて、温度計５０が扇面体４０の扇面上に貼着されていることを除いて上述した温度計付扇子１００Ｂと同様な構成を有するため、詳細の説明は省略する。
【００３９】
この場合、温度計５０が扇面体４０の中骨２０を有する折り面に貼り付けられている。扇子を使用する際に扇面体４０の繰り返し曲がる変形が小さく、さらに、扇面体４０の内部に中骨２０が存在するため、温度計５０の変形を最小に押さえることができ、扇面体４０の変形による温度計５０の寿命への影響を防止することができる。また、この場合、温度計付扇子１００Ｃを展開した状態（使用状態）においてのみ温度計５０の表示温度を確認することができるが、温度計付扇子１００Ｃを折り畳んだ状態（即ち、非使用状態）では、通常の扇子と同様の外観を有するため、外観デザインへの影響を回避できる。
【００４０】
以上説明したように、扇子自体に温度計５０を設けることで、温度計付団扇１００、１００Ａ、１００Ｂ又は１００Ｃの使用者に送る風の温度を直接的に確認できると共に、温度計付扇子１００、１００Ａ、１００Ｂ又は１００Ｃを使用する又は非使用状態で所持する際に使用者近傍の温度をも容易に確認することができる。また、帯状の感熱液晶フィルムからなる温度計５０が、親骨１０ａ又は１０ｂの表面の平坦な部分上に、又は扇面体４０の平坦な部分上に貼着されていることで、温度計付扇子１００、１００Ａ、１００Ｂ又は１００Ｃを使用する際に、変形による温度計５０の寿命への影響を防ぐことができる。
【００４１】
さらに、温度計５０の近傍に熱中症予防の注意を喚起する文字又は絵柄を印刷した印刷部６０を有することで、熱中症を予防する効果を期待でき、熱中症の事故を回避することができる。特に近年、地球温暖化が進む中、夏の最高気温が年々更新されるようになり、加えて地球温暖化の防止及び夏の電力不足によって節電対策を行うため、冷房設備を使わない場合又は冷房設備の設定温度を高くする場合、熱中症となる危険性が増加している。そのため、手軽に熱中症の危険性を予知できる温度計付扇子１００、１００Ａ、１００Ｂ又は１００Ｃは、使用して非常に効果的である。
【００４２】
例えば、扇子で涼を取る必要がある状況、又は現在身の回りの気温が知りたい時、持っている本実施形態の温度計付扇子１００、１００Ａ、１００Ｂ又は１００Ｃで確認でき、次への行動の準備ができるので、安心できる。
【００４３】
また、例えば、本実施形態の温度計付扇子１００、１００Ａ、１００Ｂ又は１００Ｃを持っている個々の人の周囲温度が判るので、各個人の体調変化等が何度ぐらいで起こるのか判断の目安となり、対応しやすくなる。
【００４４】
さらに、例えば、室内の平均気温等で判断されるのではなく、局所的な温度が温度計付扇子１００、１００Ａ、１００Ｂ又は１００Ｃをその局所に持って行けば判るので、体感温度と、実際の温度とを一致させることができる。
【００４５】
さらにまた、例えば、温度計５０に指等で直接触れることにより、指先等の触れた部分の体温変化を目安としてその場で確認することができる。
【００４６】
さらに、例えば、温度計付扇子１００、１００Ａ、１００Ｂ又は１００Ｃを持つことで、周囲の気温や、その時々の体調の確認をしながら、使用することができるため、扇子の使用による清涼感覚効果を向上することができる。
【００４７】
なお、上述した実施形態の温度計付扇子１００、１００Ａ、１００Ｂ又は１００Ｃは、別体からなる帯状の感熱液晶フィルムの温度計５０を親骨１０ａ又は１０ｂの表面の平坦な部分上に、又は扇面体４０の平坦な部分上に貼着した構成であるが、本考案はこれに限定されるものではない。例えば、温度で色の変わる液晶をマイクロカプセル化して印刷インクに含有させ、親骨１０ａ又は１０ｂの表面の平坦な部分上に、又は扇面体４０の平坦な部分上に直接印刷して温度計を構成してもよい。
【産業上の利用可能性】
【００４８】
本考案は、扇子を用いて涼を取ると共に、扇子の使用者に送る風の温度を直接的に確認でき、さらに、扇子を使用する又は非使用状態で所持する際に使用者近傍の温度をも確認することができる
【符号の説明】
【００４９】
１０ａ、１０ｂ  親骨
１１、１２  平坦な部分
２０  中骨
３０  軸
４０  扇面体
５０  温度計
６０、６０Ａ  印刷部
６１  警告マーク
１００、１００Ａ、１００Ｂ、１００Ｃ  温度計付扇子
【図１】
0003176782.tif 000003
【図２】
0003176782.tif 000004
【図３】
0003176782.tif 000005
【図４】
0003176782.tif 000006
【図５】
0003176782.tif 000007